(57)【要約】【課題】カメラユニットを備えた携帯電話機等において、小型化、薄型化、レンズの保護を図りつつ、変倍撮影を行えるようにする。【解決手段】操作釦１１及び液晶モニター１２が配置された本体１０、光学系及びＣＣＤ８０を含むカメラユニット２０を備え、カメラユニット２０は、被写体に対向させる撮影レンズＧ１、撮影レンズを通過した被写体光の光軸方向を変更してＣＣＤに導く反射プリズムＧ２、被写体の倍率を可変にする変倍レンズ光学系３０〜７０、これらを一体的に収容する筒体２１を含み、筒体２１は、撮影レンズＧ１を露出及び隠蔽させるべく本体１０に対して出没自在に設けられる。これにより、装置を小型化、薄型化でき、広角〜望遠での幅広い撮影が可能になり、さらに、非撮影時に撮影レンズＧ１を隠蔽し保護できる。【選択図】  図１
2004153353.tif 000002
【特許請求の範囲】
【請求項１】
種々の操作を行う操作釦及び種々の情報を表示する表示部が配置された本体と、被写体を撮影するための光学系及び撮像素子を含むカメラユニットと、を備えた携帯情報端末装置であって、
前記カメラユニットは、被写体に対向させる撮影レンズと、前記撮影レンズを通過した被写体光の光軸方向を変更して前記撮像素子に導く変更要素と、被写体の倍率を可変にする変倍レンズ光学系と、前記撮影レンズ、変更要素、変倍レンズ光学系、及び撮像素子を一体的に収容する筒体とを含み、
前記筒体は、前記撮影レンズを露出及び隠蔽させるべく前記本体に対して出没自在に設けられている、
ことを特徴とする携帯情報端末装置。
【請求項２】
前記筒体は、前記撮影レンズを前記本体から露出させた状態で、その軸線回りに回動自在に支持されている、
ことを特徴とする請求項１記載の携帯情報端末装置。
【請求項３】
前記筒体は、前記表示部が設けられた面と略平行な方向に出没自在に設けられている、
ことを特徴とする請求項１又は２に記載の携帯情報端末装置。
【請求項４】
前記本体に対して伸縮自在に設けられたアンテナを有し、
前記カメラユニットは、前記筒体が前記アンテナの輪郭の一部を画定するように設けられている、
ことを特徴とする請求項１ないし３いずれかに記載の携帯情報端末装置。
【請求項５】
前記カメラユニットは、前記変倍レンズ光学系の変倍調整を手動により行うための手動操作部を有する、
ことを特徴とする請求項１ないし４いずれかに記載の携帯情報端末装置。
【発明の詳細な説明】
【０００１】
【発明の属する技術分野】
本発明は、携帯電話機あるいは携帯型パーソナルコンピュータ等の携帯情報端末装置に関し、特に、操作者あるいは周辺の風景等を撮影可能なカメラユニットを備えた携帯情報端末装置に関する。
【０００２】
【従来の技術】
近年において、画像信号を送受信できる携帯電話機あるいは携帯型パーソナルコンピュータ等の携帯情報端末装置が開発されている。例えば、カメラユニットを搭載した携帯電話機としては、携帯電話機本体の上側端面にアンテナを設け、種々の操作釦及び液晶モニターを配置した正面に、カメラユニットの一部をなす撮影レンズを配置し、操作者及び他人あるいは風景等を撮影できるようにしたものが知られている（例えば、特許文献１参照）。
【０００３】
【特許文献１】
特開２００１−３２０４５４号公報
【０００４】
【発明が解決しようとする課題】
ところで、上記の携帯電話機においては、光軸方向が携帯電話機本体の正面に垂直となるように撮影レンズの後方に撮像素子であるＣＣＤが配置されている。したがって、カメラユニットの光学系が単焦点のレンズ光学系である場合は、携帯電話機の奥行き（厚み）はそれ程厚くならないが、広角〜望遠の撮影が可能な変倍光学系を採用すると光軸方向における全長が長くなるため、従来のように光軸方向が携帯電話機本体の正面と垂直となるようにカメラユニットを搭載することは困難であった。また、非撮影の際にも撮影レンズが常時露出した状態にあると、撮影レンズの表面に傷が生じたり、ゴミあるいは指紋等が付着し易いため、レンズを保護する必要があった。
【０００５】
本発明は、上記の事情に鑑みて成されたものであり、その目的とするところは、装置の小型化、薄型化、レンズの保護等を図りつつ、変倍撮影が可能な光学系を含むカメラユニットを備えた携帯情報端末装置を提供することにある。
【０００６】
【課題を解決するための手段】
本発明の携帯情報端末装置は、種々の操作を行う操作釦及び種々の情報を表示する表示部が配置された本体と、被写体を撮影するための光学系及び撮像素子を含むカメラユニットとを備えた携帯情報端末装置であって、上記カメラユニットは、被写体に対向させる撮影レンズと、撮影レンズを通過した被写体光の光軸方向を変更して撮像素子に導く変更要素と、被写体の倍率を可変にする変倍レンズ光学系と、撮影レンズ、変更要素、変倍レンズ光学系、及び撮像素子を一体的に収容する筒体とを含み、筒体は、撮影レンズを露出及び隠蔽させるべく本体に対して出没自在に設けられている、ことを特徴としている。
【０００７】
この構成によれば、カメラユニットが変更要素及び変倍レンズ光学系を含むため、撮影レンズから入射した被写体光は、変更要素により光軸方向が変更された後、変倍レンズ光学系により広角〜望遠の範囲で適宜倍率が変えられた後撮像素子に入射する。したがって、比較的光軸の長い変倍レンズ光学系を含むカメラユニットであっても、本体を突出した輪郭とすることなく配置することができ、携帯情報端末装置を小型化でき、又、広角〜望遠での幅広い撮影が可能になる。さらに、非撮影の際には、筒体を本体に没入させて撮影レンズを隠蔽し保護することができる。
【０００８】
上記構成において、筒体は、撮影レンズを本体から露出させた状態で、その軸線回りに回動自在に支持されている、構成を採用できる。
この構成によれば、筒体を回転させて撮影レンズの向きすなわち被写体光が入る向き（撮影方向）を適宜調整できるため、その撮影レンズが操作者側に向くようにすれば操作者自らを撮影でき、一方、撮影レンズが反対側（外側）を向くようにすれば周辺の風景等を撮影できる。
【０００９】
上記構成において、筒体は、表示部が設けられた面と略平行な方向に出没自在に設けられている、構成を採用できる。
この構成によれば、筒体（カメラユニット）を、表示部と平行に出没させることができるため、本体に対してカメラユニットの収容空間を効率良く設定することができ、携帯情報端末装置を小型化、薄型化できる。
【００１０】
上記構成において、本体に対して伸縮自在に設けられたアンテナを有し、カメラユニットは、筒体がアンテナの輪郭の一部を画定するように設けられている、構成を採用できる。
この構成によれば、アンテナの伸縮動作により、筒体（カメラユニット）を出没させることができる。また、筒体がアンテナの輪郭の一部を画定するように設けられているため、本体内の収容空間を効率良く利用して、携帯情報端末装置をより小型化できる。
【００１１】
上記構成において、カメラユニットは、変倍レンズ光学系の変倍調整を手動により行うための手動操作部を有する、構成を採用できる。
この構成によれば、操作者が手動により手動操作部を操作することで、適宜所望の倍率に変倍調整を行いつつ、被写体を撮影することができる。また、手動操作によるため、モータ等を用いた電動式の場合に比べて、携帯情報端末装置を小型化、軽量化できる。
【００１２】
【発明の実施の形態】
以下、本発明の実施の形態について、添付図面を参照しつつ説明する。
図１ないし図１３は、本発明に係る携帯情報端末装置の一実施形態として携帯電話機を示すものであり、図１及び図２は携帯電話機の外観図、図３及び図４はカメラユニットの外観図、図５ないし図１３はカメラユニットの構造を示す断面図及び部品図である。
【００１３】
この携帯電話機は、図１に示すように、種々の操作釦１１、種々の情報を表示する表示部（液晶モニター）１２が配置された本体１０、本体１０に対して出没自在に設けられ先端にノブ１３が固着されたカメラユニット２０等により形成されている。
【００１４】
カメラユニット２０は、図１及び図２に示すように、表示部１２が設けられた正面１０ａに対して略垂直な面（上側面）１０ｂに対して出没自在に、すなわち、正面１０ａと略平行な方向に出没自在に設けられており、図３及び図４に示すように、全体の輪郭を画定する筒体２１、筒体２１の外壁面から露出させられて被写体に対向させられる撮影レンズＧ１、筒体２１の外壁面に沿って回動自在に設けられた手動操作部２２等を備えている。
【００１５】
また、カメラユニット２０は、図５及び図６に示すように、筒体２１の内部に収容され撮影レンズＧ１を通過した被写体光の光軸方向を変更して後述するＣＣＤ８０に導く変更要素としての反射プリズムＧ２、被写体の倍率を可変にする変倍レンズ光学系３０〜７０、撮像素子としてのＣＣＤ８０等を備えている。尚、撮影レンズＧ１も、反射プリズムＧ２よりも被写体寄りにおいて筒体２１に収容されている。
ここで、反射プリズムＧ２は、三角柱をなす三角プリズムであり、被写体光の中心光線で表すと、撮影レンズＧ１を通過した被写体光の光軸方向Ｌ１を直角な光軸方向Ｌ２に変更させて、レンズＧ３及びレンズＧ４並びにＣＣＤ８０に向けて射出する。
【００１６】
このように、撮影レンズＧ１から入射する被写体光の光軸方向Ｌ１を略直角な方向Ｌ２に変更して射出する反射プリズムＧ２を設け、筒体２１の軸線方向（光軸方向Ｌ２）が表示部１２と略平行となるようにカメラユニット２０が配置されているため、本体１０を薄型化でき、携帯情報端末機を全体的に薄型化及び小型化できる。
【００１７】
そして、カメラユニット２０により撮影する場合には、図１に示すように、ノブ１３を掴んで筒体２１（カメラユニット２０）を引き出して撮影レンズＧ１を露出させ、一方、撮影しない（非撮影の）場合には、図２に示すように筒体２１（カメラユニット２０）を押し込んで撮影レンズＧ１を隠蔽する。
このように、非撮影の際には、撮影レンズＧ１を本体１０の内部に隠蔽できるため、撮影レンズＧ１の表面に傷を生じたり、あるいは、ゴミ、指紋等が付着するのを防止できる。
【００１８】
また、カメラユニット２０は、図１に示すように、撮影レンズＧ１が露出するように筒体２１を引き出した（突出させた）状態で、軸線Ｓ回りに回動自在にかつ所望の角度位置に保持できるように支持されている。
したがって、筒体２１を回転させることで、撮影レンズＧ１の向きすなわち撮影方向を適宜調整することができ、撮影レンズＧ１が表示部１２と同じ方向を向くようにすれば、操作者は表示部１２を眺めつつ操作者自らを撮影でき、一方、撮影レンズＧ１が反対側（外側）を向くようにすれば、操作者は表示部１２を眺めつつ周辺の風景等を撮影できる。
【００１９】
カメラユニット２０においては、図３ないし図１３に示すように、筒体２１の内側に、光学系を構成する撮影レンズＧ１、反射プリズムＧ２、レンズＧ３、レンズＧ４、撮像素子としてのＣＣＤ８０、光軸Ｌ２回りに回動自在な第１カム筒３０及び第２カム筒４０、レンズＧ３を保持する第１レンズ保持枠５０、レンズＧ４を保持する第２レンズ保持枠６０、第１レンズ保持枠５０と第２レンズ保持枠６０との間に配置された圧縮バネ７０等が収容されている。
【００２０】
このカメラユニット２０において、レンズＧ１及び反射プリズムＧ２は第１レンズ群、レンズＧ３（及び第１レンズ保持枠５０）は第２レンズ群、レンズＧ４（及び第２レンズ保持枠６０）は第３レンズ群をそれぞれ形成しており、被写体光がＬ１方向から進入すると、反射プリズムＧ２にて略直角に方向が変更させられてＬ２方向に進入し、レンズＧ３及びレンズＧ４を経て、ＣＣＤ８０に到達する。そして、第２レンズ群（レンズＧ３）及び第３レンズ群（レンズＧ４）が、光軸方向Ｌ２において相対的に移動させられることにより、ＣＣＤ８０の結像面に対して被写体の変倍動作及び合焦動作が行われる。
尚、ＣＣＤ８０は、筒体２１の後端部に連結された筒体２１´に保持されており、又、ＣＣＤ８０とレンズＧ４との間には、水晶フィルタ及びフェースプレート（不図示）が配置される。
上記第１カム筒３０、第２カム筒４０、レンズＧ３及び第１レンズ保持枠５０、レンズＧ４及び第２レンズ保持枠６０等により、ＣＣＤ８０の結像面に対する被写体の撮影倍率を可変にする変倍レンズ光学系が構成されている。
【００２１】
筒体２１は、図３ないし図７に示すように、それぞれ樹脂材料により成型された二つの筒半体を接合してスナップフィットにより連結したものである。筒体２１には、光軸方向Ｌ２に伸長するガイド溝２１ａ、略矩形の開口部２１ｂ、手動操作部２２を摺動自在に嵌め込む肉抜き部２１ｃ等が形成されている。
【００２２】
第１カム筒３０は、図５、図６、図７（ｂ）に示すように、筒体２１の内側において回動自在に支持されて、第１レンズ保持枠５０を光軸方向Ｌ２に移動させるものである。第１カム筒３０は、図８及び図９に示すように、大きい内径をなす内周面３１ａ、内周面３１ａから内側に縮径した内周面３１ｂ、内周面３１ｂと内周面３１ａとの段差部分により画定され軸線方向（光軸方向Ｌ２）に向かう端面カム３１ｃ、壁面の一部を開口させる切欠き部３２、切欠き部３２の縁により画定される端面カム３２ａ、外周面の一部を肉抜きして形成された逃げ部３３、外周面から径方向外側に突出した突出片３４、突出片３４に形成された連結ピン３４ａ及び連結孔３４ｂ等により形成されている。
【００２３】
第１カム筒３０に形成された３つの端面カム３１ｃ，３１ｃ，３２ａは、後述する第１レンズ保持枠５０の３つのフォロワ５２とそれぞれ接触して、光軸方向Ｌ２においてカム作用を及ぼす。したがって、第１カム筒３０が回転すると、第１レンズ保持枠５０が光軸方向Ｌ２に移動させられる。
【００２４】
第２カム筒４０は、図５、図６、図７（ａ）に示すように、筒体２１の内側において回動自在に支持されて、第２レンズ保持枠６０を光軸方向Ｌ２に移動させるものである。第２カム筒４０は、図１０及び図１１に示すように、大きい内径をなす内周面４１ａ、内周面４１ａから内側に縮径した内周面４１ｂ、内周面４１ｂと内周面４１ａとの段差部分により画定され軸線方向（光軸方向Ｌ２）に向かう端面カム４１ｃ、壁面の一部を開口させる切欠き部４２、切欠き部４２の縁により画定される端面カム４２ａ、外周面の一部を肉抜きして形成された逃げ部４３、外周面から径方向外側に突出した突出片４４、突出片４４に形成された連結ピン４４ａ及び連結孔４４ｂ等により形成されている。
【００２５】
第２カム筒４０に形成された３つの端面カム４１ｃ，４１ｃ，４２ａは、後述する第２レンズ保持枠６０の３つのフォロワ６２とそれぞれ接触して、光軸方向Ｌ２においてカム作用を及ぼす。したがって、第２カム筒４０が回転すると、第２レンズ保持枠６０が光軸方向Ｌ２に移動させられる。
【００２６】
そして、第１カム筒３０と第２カム筒４０とは、図５及び図６に示すように、光軸方向Ｌ２において、お互いの端面カム３１ｃ，３２ａ，４１ｃ，４２ａが対向するように配置され、又、連結ピン３４ａ，４４ａが連結孔４４ｂ，３４ｂにそれぞれ嵌合されて、図７（ｂ）に示すように突出片３４，４４同士が接合され、筒体２１の内側において一体的に回転するように連結されている。
突出片３４，４４は、筒体２１の開口部２１ｂから外側に露出し、図３、図５、図６、図７（ｂ）に示すように、手動操作部２２に連結されている。
【００２７】
手動操作部２２は、図３、図４、図７（ｂ）に示すように、円筒の一部を切り取った円弧形状に形成され、略中央部に形成された嵌合孔２２ａに突出片３４，４４が嵌入されている。そして、手動操作部２２は、筒体２１の肉抜き部２１ｃに対して摺動自在に取り付けられている。
したがって、手動操作部２２を回動させることにより、第１カム筒３０及び第２カム筒４０が一体となって同時に回動し、第１レンズ保持枠５０及び第２レンズ保持枠６０に対してそれぞれカム作用を及ぼすようになっている。
【００２８】
第１レンズ保持枠５０は、図５、図６に示すように、レンズＧ３を保持すると共に、光軸方向Ｌ２に移動自在に第１カム筒３０の内側に配置されている。第１レンズ保持枠５０は、図１２に示すように、樹脂材料により略円筒状に成型されており、レンズＧ３を保持する保持孔５１、略１２０度の間隔で配置され径方向外側に向けて突出する３つのフォロワ５２、一つのフォロワ５２と一体的に形成された突起５３等により形成されている。
【００２９】
そして、図５及び図６に示すように、２つのフォロワ５２が第１カム筒３０の端面カム３１ｃに当接し、その外側面５２ａが内周面３１ａに摺動自在に当接し、一つのフォロワ５２が端面カム３２ａに当接し、突起５３がカム溝２１ａに挿入されている。これにより、第１レンズ保持枠５０は、径方向において位置決めされ、かつ、カム溝２１ａにより回転が規制されつつ、端面カム３１ｃ，３２ａのカムプロフィルに追随して光軸方向Ｌ２にのみ移動するようになっている。
【００３０】
第２レンズ保持枠６０は、図５、図６に示すように、レンズＧ４を保持すると共に、光軸方向Ｌ２に移動自在に第２カム筒４０の内側に配置されている。第２レンズ保持枠６０は、図１３に示すように、樹脂材料により略円筒状に成型されており、レンズＧ４を保持する保持孔６１、略１２０度の間隔で配置され径方向外側に向けて突出する３つのフォロワ６２、一つのフォロワ６２と一体的に形成された突起６３等により形成されている。
【００３１】
そして、図５及び図６に示すように、２つのフォロワ６２が第２カム筒４０の端面カム４１ｃに当接し、その外側面６２ａが内周面４１ａに摺動自在に当接し、一つのフォロワ６２が端面カム４２ａに当接し、突起６３がカム溝２１ａに挿入されている。これにより、第２レンズ保持枠６０は、径方向において位置決めされ、かつ、カム溝２１ａにより回転が規制されつつ、端面カム４１ｃ，４２ａのカムプロフィルに追随して光軸方向Ｌ２にのみ移動するようになっている。
【００３２】
圧縮バネ７０は、図５及び図６に示すように、圧縮された状態で配置されるコイル状のバネであり、第１レンズ保持枠５０の受け面５４と第２レンズ保持枠６０の受け面６４との間に配置され、光軸方向Ｌ２において両者を遠ざける方向に付勢力を及ぼしている。したがって、この付勢力により、フォロワ５２は端面カム３１ｃ，３２ａに押し付けられ、フォロワ６２は端面カム４１ｃ，４２ａに押し付けられて、カム作用が確実に行われるようになっている。
【００３３】
次に、カメラユニット２０の変倍動作について図５及び図６に基づき説明すると、手動操作部２２を一方向に回転させると、端面カム３１ｃ，３２ａ及び端面カム４１ｃ，４２ａのカム作用により、図５に示すように、第１レンズ保持枠５０（レンズＧ３）及び第２レンズ保持枠６０（レンズＧ４）は、相対的な距離を変化させつつ光軸方向Ｌ２の前方側（矢印Ｆ）に向けて移動し、広角撮影位置に至る。
【００３４】
一方、手動操作部２２を逆方向に回転させると、端面カム３１ｃ，３２ａ及び端面カム４１ｃ，４２ａのカム作用により、図６に示すように、第１レンズ保持枠５０（レンズＧ３）及び第２レンズ保持枠６０（レンズＧ４）は、相対的な距離を変化させつつ光軸方向Ｌ２の後方側（矢印Ｒ）に向けて移動し、望遠撮影位置に至る。このように、手動操作部２２を回動させるだけで、広角〜望遠での幅広い撮影を行うことができる。また、手動操作としたことにより、装置が簡略化され、小型化、軽量化、低コスト化に寄与する。
【００３５】
次に、上記携帯電話機の操作について説明する。先ず、非撮影の状態では、図２に示すように、カメラユニット２０は本体１０の内部に没入している。したがって、非撮影の状態で撮影レンズＧ１に傷が生じたり、ゴミあるいは指紋等が付着するのを防止できる。
この非撮影状態から、カメラユニット２０で撮影する場合は、ノブ１３を掴んでカメラユニット２０（筒体２１）を引き出し、撮影レンズＧ１を露出させる。
【００３６】
この状態で、操作釦１１の一つを操作してカメラユニット２０（ＣＣＤ８０）のスイッチをＯＮにすると、撮影レンズＧ１の前方にある操作者等からの被写体光が撮影レンズＧ１から入射し、その進行方向が反射プリズムＧ２により変更される。そして、進行方向が変更された被写体光は、第２レンズ群（レンズＧ３）及び第３レンズ群（レンズＧ４）を経て、ＣＣＤ８０の結像面に達する。
【００３７】
そして、ＣＣＤ８０により撮影された画像は、所定の画像処理がなされ、表示部（液晶モニター）１２に表示される。ここで、操作者が、手動操作部２２を回転させて第１カム筒３０及び第２カム筒４０の位置を調整し、図５に示すように第２レンズ群（レンズＧ３）及び第３レンズ群（レンズＧ４）を前方（Ｆ方向）に移動させつつお互いに離隔した位置に位置付けると、被写体の広角撮影が行われて表示部１２に広角画像が表示される。一方、図６に示すように第２レンズ群（レンズＧ３）及び第３レンズ群（レンズＧ４）を後方に移動させつつお互いに近接した位置に位置付けると、望遠撮影が行われて表示部１２に望遠画像が表示される。
【００３８】
したがって、操作者は、表示部１２でこれらの撮影画像を確認しながら撮影倍率を適宜調整し、所望倍率の画像に調整できた時点で、操作釦１１の一つ（レリーズボタン）を押してレリーズ操作を行うと、その画像が撮影される。そして、記憶部に撮影画像を保存し、あるいは、送信操作を行なって通信相手に撮影画像を送信することができる。
【００３９】
ところで、被写体を撮影者等から周辺の風景に変えたい場合には、筒体２１（カメラユニット２０）を回転させて、撮影レンズＧ１が反対側（外側）を向くように位置付ける。そこで、操作者は、表示部１２に表示される風景画像等を確認しながら前述同様に撮影倍率を適宜調整し、所望倍率の画像に調整できた時点で、操作釦１１の一つを押してレリーズ操作を行って、前述同様に撮影画像の保存あるいは送信を行うことができる。
【００４０】
上記のように、変倍レンズ光学系による変倍調整は、操作者の手動操作により行われるため、カメラユニット２０は、モータ等により変倍駆動する場合に比べて、電力の消費もなく、構造も簡略化され、携帯電話機が全体として小型化される。
【００４１】
図１４及び図１５は、本発明に係る携帯情報端末装置の他の実施形態を示すものである。この実施形態においては、アンテナ１３０の部分にカメラユニット２０を設けた以外は、前述の携帯電話機と同一であるため、同一の構成及び動作については同一の符号を付してその説明を省略する。
この携帯電話機においては、図１４及び図１５に示すように、本体１０´に対して伸縮自在にアンテナ１３０が設けられており、このアンテナ１３０の下端部領域の輪郭を画定するようにカメラユニット２０が設けられている。
【００４２】
そして、カメラユニット２０により撮影する場合には、図１４に示すように、アンテナ１３０の先端部１３０ａを掴んで伸ばし、筒体２１（カメラユニット２０）を突出させて撮影レンズＧ１を露出させ、一方、撮影しない（非撮影の）場合には、図１５に示すようにアンテナ１３０を縮めて、筒体２１（カメラユニット２０）を没入させ撮影レンズＧ１を隠蔽する。このように、非撮影の際には、撮影レンズＧ１を本体１０´の内部に隠蔽できるため、撮影レンズＧ１の表面に傷を生じたり、あるいは、ゴミ、指紋等が付着するのを防止できる。
また、アンテナ１３０の伸縮動作により、筒体２１（カメラユニット２０）を出没させることができ、さらに、筒体２１がアンテナ１３０の輪郭の一部を画定するように設けられているため、本体１０´内の収容空間を効率良く利用して、携帯情報端末機をより小型化できる。
【００４３】
図１６（ａ），（ｂ）は、本発明に係る携帯情報端末装置のさらに他の実施形態を示すものである。この実施形態においては、携帯情報端末装置として携帯型パーソナルコンピュータを示し、上記のカメラユニット２０を出没自在に設けたものである。
この携帯型パーソナルコンピュータは、図１６に示すように、種々の操作釦２１１、種々の情報を表示する表示部（液晶モニター）２１２が配置された本体２００、本体２００に対して出没自在に設けられたカメラユニット２０、カメラユニット２０を出没させるノブ２２０等により形成されている。
【００４４】
ここで、カメラユニット２０は、表示部２１２が設けられた正面２００ａに対して略垂直な面２００ｂに対して出没自在に、すなわち、表示部２１２が設けられた面２００ａと略平行な方向に出没自在に設けられている。これにより、本体２００に対してカメラユニット２０の収容空間を効率良く設定することができ、携帯型パーソナルコンピュータを小型化、薄型化できる。
【００４５】
そして、カメラユニット２０により撮影する場合には、図１６（ａ）に示すように、ノブ２２０を上方に移動させて筒体２１（カメラユニット２０）を本体２００から突出させることで撮影レンズＧ１を露出させ、一方、撮影しない（非撮影の）場合には、図１６（ｂ）に示すようにノブ２２０を下方に移動させて筒体２１（カメラユニット２０）を本体２００内に没入させることで撮影レンズＧ１を隠蔽する。このように、非撮影の際には、撮影レンズＧ１を本体２００の内部に隠蔽できるため、撮影レンズＧ１の表面に傷を生じたり、あるいは、ゴミ、指紋等が付着するのを防止できる。
【００４６】
図１７（ａ），（ｂ）は、本発明に係る携帯情報端末装置のさらに他の実施形態を示すものである。この実施形態においては、ノブ２２０´の配置場所を変更した以外は、前述の図１６に示す携帯型パーソナルコンピュータと同一であるため、同一の構成については同一の符号を付してその説明を省略する。
この携帯型パーソナルコンピュータにおいては、図１７に示すように、表示部２１２を配置した正面２００ａにノブ２２０´を設け、又、操作釦２１１を配置した面に、ノブ２２０´を収容する凹み２１３を設けたものである。
【００４７】
そして、カメラユニット２０により撮影する場合には、図１７（ａ）に示すように、ノブ２２０´を上方に移動させて筒体２１（カメラユニット２０）を本体２００から突出させることで撮影レンズＧ１を露出させ、一方、撮影しない（非撮影の）場合には、図１７（ｂ）に示すようにノブ２２０´を下方に移動させて筒体２１（カメラユニット２０）を本体２００内に没入させることで撮影レンズＧ１を隠蔽する。
【００４８】
このように、非撮影の際には、撮影レンズＧ１を本体２００の内部に隠蔽できるため、撮影レンズＧ１の表面に傷を生じたり、あるいは、ゴミ、指紋等が付着するのを防止でき、又、携帯型パーソナルコンピュータを閉じた状態で、ノブ２２０´が凹み２１３に収容されて外部に突出しないため、ノブ２２０´の衝突が防止され、携帯性に優れる。
【００４９】
上記実施形態においては、被写体光の光軸方向を変更させる変更要素として、反射プリズムＧ２を示したが、これに限定されるものではなく、反射ミラー等その他の要素を適用してもよい。
また、上記実施形態においては、変倍レンズ光学系として第２レンズ群（レンズＧ３及び第１レンズ保持枠５０）及び第３レンズ群（レンズＧ４及び第２レンズ保持枠６０）を含む光学系を示したが、これ以上のレンズ群を含む変倍レンズ光学系であってもよい。
【００５０】
【発明の効果】
以上述べたように、本発明の携帯情報端末装置によれば、操作釦及び表示部が配置された本体、被写体を撮影するための光学系及び撮像素子を含むカメラユニットとを備え、カメラユニットを、被写体に対向させる撮影レンズ、被写体光の光軸方向を変更する変更要素、変倍レンズ光学系、これらを一体的に収容する筒体により構成し、撮影レンズを露出及び隠蔽させるべく筒体を本体に対して出没自在に設けたことにより、装置を小型化、薄型化できると共に、広角〜望遠での幅広い撮影が可能になり、さらに、非撮影の際に撮影レンズを隠蔽して保護することができる。
特に、本体に対して伸縮自在に設けられたアンテナの輪郭の一部を画定するようにカメラユニット（筒体）を設けることにより、アンテナの伸縮動作により筒体（カメラユニット）を出没させることができ、又、本体内の収容空間を効率良く利用して、装置をより小型化できる。
【図面の簡単な説明】
【図１】本発明に係る携帯情報端末装置の一実施形態を示す携帯電話機の外観図であり、（ａ）及び（ｂ）はカメラユニットが突出した状態を示す正面図及び側面図である。
【図２】本発明に係る携帯情報端末装置の一実施形態を示す携帯電話機の外観図であり、（ａ）及び（ｂ）はカメラユニットが没入した状態を示す正面図及び側面図である。
【図３】カメラユニットを示す外観正面図である。
【図４】カメラユニットを示す外観側面図である。
【図５】カメラユニットの内部構造を示す断面図である。
【図６】カメラユニットの内部構造を示す断面図である。
【図７】カメラユニットの断面図であり、（ａ）は図４中のＥ１−Ｅ１における断面図、（ｂ）は図４中のＥ２−Ｅ２における断面図である。
【図８】カメラユニットの一部を構成する第１カム筒を示すものであり、（ａ）は前面図、（ｂ）は（ａ）中のＥ３−Ｅ３における断面図である。
【図９】カメラユニットの一部を構成する第１カム筒を示すものであり、（ａ）は後面図、（ｂ）は第１カム筒を展開して内側を示した展開図である。
【図１０】カメラユニットの一部を構成する第２カム筒を示すものであり、（ａ）は後面図、（ｂ）は（ａ）中のＥ４−Ｅ４における断面図である。
【図１１】カメラユニットの一部を構成する第２カム筒を示すものであり、（ａ）は前面図、（ｂ）は第２カム筒を展開して内側を示した展開図である。
【図１２】カメラユニットの一部を構成する第１レンズ保持枠を示すものであり、（ａ）は前面図、（ｂ）は（ａ）中のＥ５−Ｅ５における断面図である。
【図１３】カメラユニットの一部を構成する第２レンズ保持枠を示すものであり、（ａ）は前面図、（ｂ）は（ａ）中のＥ６−Ｅ６における断面図である。
【図１４】本発明に係る携帯情報端末装置の他の実施形態を示す携帯電話機の外観図であり、（ａ）及び（ｂ）はアンテナが伸ばされてカメラユニットが突出した状態を示す正面図及び側面図である。
【図１５】本発明に係る携帯情報端末装置の他の実施形態を示す携帯電話機の外観図であり、（ａ）及び（ｂ）はアンテナが縮められてカメラユニットが没入した状態を示す正面図及び側面図である。
【図１６】本発明に係る携帯情報端末装置のさらに他の実施形態を示す携帯型パーソナルコンピュータの外観図であり、（ａ）はカメラユニットが突出した状態を示す斜視図、（ｂ）はカメラユニットが没入した状態を示す斜視図である。
【図１７】本発明に係る携帯情報端末装置のさらに他の実施形態を示す携帯型パーソナルコンピュータの外観図であり、（ａ）はカメラユニットが突出した状態を示す斜視図、（ｂ）はカメラユニットが没入した状態を示す斜視図である。
【符号の説明】
１０，１０´，２００  本体
１０ａ，２００ａ  正面
１０ｂ，２００ｂ  上側面
１１，２１１  操作釦
１２，２１２  表示部
１３  ノブ
２０  カメラユニット
２１  筒体
２２  手動操作部
Ｇ１  撮影レンズ
Ｇ２  反射プリズム（変更要素）
３０  第１カム筒
４０  第２カム筒
５０  第１レンズ保持枠（変倍レンズ光学系）
Ｇ３  レンズ（変倍レンズ光学系）
６０  第２レンズ保持枠（変倍レンズ光学系）
Ｇ４  レンズ（変倍レンズ光学系）
７０  圧縮バネ
８０  ＣＣＤ（撮像素子）
１３０  アンテナ
１３０ａ  先端部
２２０，２２０´  ノブ
２１３  凹み
【図１】
2004153353.tif 000003
【図２】
2004153353.tif 000004
【図３】
2004153353.tif 000005
【図４】
2004153353.tif 000006
【図５】
2004153353.tif 000007
【図６】
2004153353.tif 000008
【図７】
2004153353.tif 000009
【図８】
2004153353.tif 000010
【図９】
2004153353.tif 000011
【図１０】
2004153353.tif 000012
【図１１】
2004153353.tif 000013
【図１２】
2004153353.tif 000014
【図１３】
2004153353.tif 000015
【図１４】
2004153353.tif 000016
【図１５】
2004153353.tif 000017
【図１６】
2004153353.tif 000018
【図１７】
2004153353.tif 000019